(57)【特許請求の範囲】
【請求項１】
スプリンクラであって、本体（１）と、液体を供給するためのチャネルと、弁（４）を備えた感熱ユニットと、感熱ユニットアタッチメントとが設けられており、円錐形ディフューザの形式で形成されたセグメント（１１）に接続された円筒形のセグメント（１０）によって、スプリンクラチャネルが形成されている形式のものにおいて、前記円筒形のセグメント（１０）の長さが、該セグメントにおけるチャネルの直径を超過しており、円錐形ディフューザの形式のセグメント（１１）の長さが、前記円筒形のセグメント（１０）におけるチャネルの直径を超過しており、前記円錐形ディフューザの面を形成した円錐頂点角度が１０〜５０゜であり、その結果、スプリンクラの出口において、蒸気及び空気で飽和された液体流が生ぜしめられることを特徴とする、スプリンクラ。
【請求項２】
前記円筒形のセグメント（１０）の長さが、該セグメントにおけるチャネルの直径の３倍を超過していない、請求項１記載のスプリンクラ。
【請求項３】
前記感熱ユニットアタッチメントが、感熱ユニットを抱持したフレームアーム（８）として形成されている、請求項１記載のスプリンクラ。
【請求項４】
スプリンクラであって、液体を供給するためのチャネルを備えた本体が設けられており、前記チャネルのうちの第１のチャネルが、円筒形の軸方向チャネル（１２）として形成されており、該軸方向チャネルの長さが、該軸方向チャネルの直径を超過しており、前記チャネルのうちの第２のチャネルが、第１のチャネルに対して同軸的な、螺旋形案内部材を備えた環状のチャネル（１３）として形成されており、弁（４）を備えた感熱ユニットが設けられており、感熱ユニットアタッチメントが設けられている形式のものにおいて、前記円筒形の軸方向チャネル（１２）のオリフィスと、該オリフィスから半径方向に間隔を置かれた、前記環状のチャネル（１３）のオリフィスとによって、スプリンクラ出口が形成されており、前記環状のチャネルが螺旋形案内部材を有しており、その結果、本体の直ぐ近くで衝突する２つの高速のシートが形成されることを特徴とする、スプリンクラ。
【請求項５】
前記円筒形の軸方向チャネル（１２）のオリフィスの直径が、前記環状のチャネルの出口の平均直径の０．２〜０．４倍である、請求項４記載のスプリンクラ。
【請求項６】
前記円筒形の軸方向チャネル（１２）の長さが、該軸方向チャネルの直径の１〜２倍である、請求項４記載のスプリンクラ。
【請求項７】
前記環状のチャネル（１３）の螺旋形案内部材が、多条ねじとして形成されている、請求項４記載のスプリンクラ。
【請求項８】
前記環状のチャネル（１３）の螺旋形案内部材が、四条ねじとして形成されている、請求項４記載のスプリンクラ。
【請求項９】
前記環状のチャネル（１３）の螺旋形案内部材が、多条ねじとして形成されており、前記軸方向チャネルの対称軸線に対してねじチャネルの成す角度が２０〜３０゜である、請求項４記載のスプリンクラ。
【請求項１０】
前記感熱ユニットアタッチメントが、感熱ユニットを抱持したフレームアーム（８）として形成されている、請求項４記載のスプリンクラ。
【発明の詳細な説明】
【０００１】
技術分野
本発明は、多数の潜在的な火災現場を有する建物、例えば病院、図書館、博物館、オフィス、デパート、倉庫、車庫における局所的な消火のための消火装置、すなわちスプリンクラ装置に関する。これらの装置は通常は自動消火システムの構造的部材と使用される。
【０００２】
従来の技術
消火装置において使用される種々異なるタイプのスプリンクラがこの分野で知られている。これらの従来の装置は、構造的な構成部材として使用される感熱ユニットのタイプ及び消火液体が供給されるチャネル構成のタイプが異なる。
【０００３】
例えば、この技術分野においては、液体供給のための軸方向円筒形チャネルと、スプリンクラ出口を閉鎖する弁を備えた感熱ユニットと、感熱ユニットアタッチメントとを有するスプリンクラが知られている（米国特許第５３９２９９３号、Ｂ０５Ｂ  １／２６、１９９５年２月２８日発行）。このスプリンクラの設計的特徴は、チャネル出口に対向して固定された液体流れディフューザエレメントの構成である。米国特許第５３９２９９３号に記載された改良は、消火のために最適な所定の空間的構成のガス及び液滴流れと、発生される流れにおける液滴サイズ変化及び発生される流れにおける（サイズによる）特定の分布とを形成するように設計されている。
【０００４】
当該技術分野において他の技術的解決も知られており、そのうち別のスプリンクラが米国特許第４８００９６１号に記載されている（Ａ６２Ｃ  ３７／１０、１９８９年１月３１日発行）。共通のスプリンクラは、液体供給チャネルを備えた本体と、スプリンクラ出口を閉鎖した弁を備えた感熱構成部材と、感熱ユニットアタッチメントとを有している。スプリンクラチャネルは、種々異なる形状及び種々異なる通路横断面を有する、連続的に接続された幾つかのセグメントによって形成されている。液体供給側からのチャネル第１のセグメントは、約８゜の開口角度を備えた円錐形ディフューザである。第１のセグメントは、約６０゜の開口角度を備えた円錐形ディフューザの形態を有する第２のセグメントに接続されている。チャネルの第３のセグメントは円筒形であり、第３のセグメントの直径は、円錐形ディフューザの出口の横断面の直径に等しい。ディフューザチャネルの出口は、環状の突起によって形成されている。最小の長手方向サイズを有する環状の突起の平らな面は、スプリンクラチャネルにおける液体流れ方向に対して垂直に向けられている。スプリンクラチャネルのこの構成は、チャネル出口において流れの速度が低下することによりより大きな液滴を生ぜしめる。その結果、スプリンクラは、有効な消火のために液滴サイズによって所望の液体分布を備えたガス及び液滴流れを生ぜしめる。大きな液滴は流れの中央部分に位置しており、火炎を消火するために直接に使用される。比較的小さなサイズの液滴はガス及び液滴流れの周縁部に位置しており、煙の温度を低下させるか又は環境を冷却する。
【０００５】
前記のスプリンクラ構造は、概して、無駄な液体消費を低減することができる。しかしながら、ガス及び液滴流れを生ぜしめるためのエネルギ入力の一部は、環状の突起の前方におけるチャネルの円筒状部分において液体流れの周縁部を制動するように、無駄に消費される。
【０００６】
本発明の第１の択一的な実施例の最も類似の装置は、本出願人のソ連特許第６４３１６２号（Ａ６２Ｃ  ３７／１２、１９７９年１月２７日発行）に記載されたスプリンクラであり、このスプリンクラは、液体供給チャネルを備えた本体と、スプリンクラ出口を閉鎖する弁を備えた感熱ユニットと、感熱ユニットアタッチメントとを有している。スプリンクラチャネルは、円錐形ディフューザの形式のセグメントに接続された円筒形のセグメントによって形成されている。しかしながら、スプリンクラチャネルの寸法と構成とは前記構造において最適化されておらず、このことは、火災現場上への有効な液体噴霧のために必要である。これとともに、従来のスプリンクラは、火炎表面において、液滴が高い運動エネルギを有している、均一で微細に分散されたガス及び液滴液体流れを生ぜしめることができない。
【０００７】
本発明の第２の択一的な実施例の最も類似の装置は、欧州特許公開第０７０１８４２号明細書（Ａ６２Ｃ  ３７／０８、１９９６年３月２０日発行）に記載されたスプリンクラであり、このスプリンクラは、液体供給チャネルを備えた本体と、スプリンクラ出口を閉鎖する弁を備えた感熱構成部材と、感熱構成部材アタッチメントとを有する。スプリンクラチャネルのうちの１つは軸方向の円筒形チャネルとして形成されており、このチャネルの長さは直径よりも長く、第２のスプリンクラチャネルは、第１のチャネルに対して同軸的な螺旋形案内部材を備えた環状のチャネルとして形成されている。この技術的解決は、最適なサイズの液滴と空間における均一な分布とを備えたガス及び液滴流れを発生させることを目的としており、これにより、消火のための液体を有効に使用することができる。従来のスプリンクラの構造は、大きな面積において有効な消火を提供しない。なぜならば、スプリンクラ出口においてガス及び液滴流れが生ぜしめられ、このガス及び液滴流れの横断面が共通の出口の縁部によって制限されるからである。この場合、部屋の天井におけるスプリンクラの配置密度を高める必要がある。
【０００８】
発明の概要
本発明は、液滴の高い運動エネルギと空間における均一な分布とを備えた均一な微細に分散されたガス及び液滴流を生ぜしめるスプリンクラ構造を発展させることを目的とする。この課題の解決手段は、火災現場を消火するために必要な液滴の所望の強度及び運動エネルギを用いて、散布面積を増大させることができる。すなわち、本発明は、火炎から保護される部屋の面積を増大させることを目的とする。さらに、本発明は、列挙された利点を有するガス及び液滴流れを発生させるための電力及び液体の消費を低減することを目的とする。
【０００９】
前記課題は、スプリンクラが、液体供給チャネルを備えた本体を有しており、液体供給チャネルが、円錐形ディフューザとして形成されたセグメントに接続された円筒形のセグメントによって形成されており、さらに弁を備えた感熱ユニットと、感熱ユニットアタッチメントとを有することによって達成された。この場合、本発明によれば、円筒形セグメントの長さはこのセグメントのチャネルの直径よりも大きく、円錐形ディフューザの形式のセグメントの長さは、円筒形セグメントにおけるチャネル直径よりも大きく、円錐形ディフューザの表面を形成する円錐頂点における角度は、１０〜５０゜である。
【００１０】
スプリンクラチャネルの円筒形セグメントの長さは、このセグメントにおけるチャネルの直径の３倍を超過していないと有利である。
【００１１】
感熱ユニットアタッチメントは、感熱ユニットを抱持したフレームアームとして形成されることができる。
【００１２】
前記課題は、第２の択一的な実施例においてスプリンクラが、液体供給チャネルを備えた本体を有しており、液体供給チャネルのうちの１つが円筒形の軸方向チャネルとして形成されており、軸方向チャネルの長さが直径よりも大きく、第２の液体供給チャネルが、第１のチャネルに対して同軸的な、螺旋形案内部材を備えた環状のチャネルとして形成されており、さらに弁を備えた感熱ユニットと、感熱ユニットアタッチメント箇所とを有していることによって達成された。この場合、本発明によれば、スプリンクラ出口は、軸方向の円筒形チャネル出口と、このチャネル出口から間隔を置かれた環状のチャネル出口とによって形成されており、環状のチャネルは螺旋形案内部材を有している。
【００１３】
有利な実施例におけるスプリンクラの軸方向円筒形チャネルの出口の直径は、円錐形チャネルの環状の出口の平均直径の０．２〜０．４倍である。
【００１４】
軸方向円筒形スプリンクラチャネルの長さは、直径の１〜２倍であると有利である。
【００１５】
有利な実施例では、スプリンクラの環状チャネルの螺旋形案内部材は、多条ねじとして形成されている。さらに、スプリンクラの環状チャネルの螺旋形案内部材は、四条ねじの形式で使用されると有利である。この場合、環状チャネルの出口において均一な円錐形のシートが確実に発生される。
【００１６】
最も有利な実施例では、スプリンクラの環状チャネルの螺旋形案内部材は、多条ねじとして形成されている。軸方向チャネルの対称軸線に対するねじ形チャネルの傾斜角度は２０〜３０゜である。この傾斜角度で、最適な開口角度及び液滴の接線速度を備えた円錐形のシート状の流れが発生され、この流れは、シート状の流れの最も有効な衝突を提供する。
【００１７】
上記のスプリンクラの実施例における感熱ユニットアタッチメント箇所は、感熱ユニットを抱持したフレームアームとして形成されることもできる。
【００１８】
図面の簡単な説明
添付の図面に示された特定の実施例を参照して本発明を説明する。
【００１９】
図１は、第１の実施例に従って設計されたスプリンクラの概略的な縦断面図である（フレームアーム位置の平面における）。
【００２０】
図２は、第２の実施例に従って設計されたスプリンクラの概略的な縦断面図である（フレームアーム位置の平面における）。
【００２１】
図３は、図２に示したスプリンクラを平面Ａ−Ａで見た横断面図である。
【００２２】
発明の有利な実施例
本発明の第１実施例によるスプリンクラ（図１参照）は、本体１を有しており、本体１の上部は、主液体供給管と接続するための連結箇所を有している。本体１は流過チャネルを有しており、この流過チャネルは、挿入スプリンクラ３を固定するためにシールリング２を有している。本体１のチャネルは、シール５によってシールされた感熱ユニット弁４を有している。弁４は、脆い材料から形成された感熱ユニット球体６によって初期位置に保持されている。球体６は、調整ねじ７によって所望の位置に固定されている。
【００２３】
初期位置において、感熱ユニットは、シール５がスプリンクラ出口を閉鎖することを保証する。感熱ユニットアタッチメントは、球体６を取り囲むように対称的に位置決めされたフレームアームとして形成されている（フレームアーム８は感熱ユニットを抱持している）。これらのフレームアーム８は、本体１の部材であっても、本体１に固定された別個の構成部材として形成されていてもよい。ガス及び液滴流れのディフューザエレメント９（ローゼット）はフレームアーム８に取り付けられている。
【００２４】
挿入スプリンクラ３に形成された液体供給チャネルは、円筒形のセグメント１０によって形成されており、このセグメントは、円錐形のディフューザとして形成されたセグメント１１に滑らかに結合されている。本発明によれば、円筒形のセグメント１０の長さは、このセグメントにおけるチャネル直径よりも大きい。円錐形のディフューザの形式のセグメント１１の長さは、円筒形のセグメント１０におけるチャネル直径よりも大きい。円錐形のディフューザ面を形成された円錐頂点における角度は１０〜５０゜である。この場合、円筒形のセグメント１０の長さは、このセグメントにおけるチャネルの直径の３倍以下に選択される（さもないと性能が改善することなくスプリンクラの寸法が増大してしまう）。
【００２５】
本発明の第２実施例によるスプリンクラ（図２及び図３参照）は、第１実施例（図１参照）のものと同じ構造的構成部材を有している。ただし、挿入スプリンクラ３と液体供給チャネルとの構成が異なっている。前記の択一的な実施例では、スプリンクラは２つの同軸的な液体供給チャネルを有している。そのうち一方は円筒形の同軸的なチャネル１２によって形成されており、このチャネルの長さはこのチャネルの直径を超過していない。第２のチャネルは、第１のチャネルに対して同軸的な環状のチャネル１３として形成されており、このチャネルは、螺旋形の案内部材を備えている。
【００２６】
本発明の第２の択一的な実施例によるスプリンクラの特徴は、出口の形状及び配置である。スプリンクラの出口は、軸方向チャネル１２のオリフィスと、このオリフィスから半径方向に間隔を置かれた環状のチャネル１３のオリフィスとによって形成されている。特定の実施例では、チャネル１２のオリフィスの直径は、環状のチャネル１３のオリフィスの平均直径の０．２〜０．４倍に等しくなるように選択されている。チャネル１２及び１３の有利な直径比は、０．３に等しくなるように選択されている。スプリンクラ出口を形成したチャネル１２及び１３の前記直径比は、流れに生ぜしめられる液滴の最適なサイズと、液滴の噴霧範囲（運動エネルギ）と、所定の火災現場面積の噴霧均一性とによって決定される。軸方向円筒形チャネル１２の長さは、直径の１〜２倍から選択されていると有利である。
【００２７】
さらに、第２の択一的な実施例におけるスプリンクラの設計は、ガス及び液滴流れディフューザエレメント９を有していない。エレメント９の機能は、軸方向チャネル１２及び環状チャネル１３を流過する液体に形成される所定の構成を有するシート状の流れの相互の衝突及び混合によって提供される。
【００２８】
環状チャネル１３の螺旋形案内部材は、多条ねじの形式で実施されている。研究されたスプリンクラ実施例では、環状チャネル１３の螺旋形案内部材は、円錐形の構成の均一なシートを確実に発生させるために四条ねじ形状を有している。軸方向チャネル１２の対称軸線に対する、多条ねじによって形成された特定のチャネルの傾斜角度は、２０〜３０゜である。この場合、最適な開口角度と液滴の接線速度とを備えたシート状の流れが生ぜしめられる。ねじによって形成されたチャネル横断面は、正方形に近い矩形である。これらのチャネルのサイズは、環状チャネル１３を通る所要の流量に応じて選択され、この流量自体は、軸方向チャネル１２を通る流量に応じる。
【００２９】
構造が本発明の第１の択一的な実施例に対応するスプリンクラは以下の形式で機能する。
【００３０】
水が、キャビテーションを生じる圧力よりも高い圧力（水の場合Ｐ＞０．２５ＭＰａ）でスプリンクラに供給される。圧力値は約１ＭＰａである。円筒形セグメント１０の出口における静圧は、飽和した水蒸気の圧力よりも低いレベルに低下する。その結果、キャビテーション中心が液体流れに出現して成長する。円錐形セグメント１の拡開するチャネルにおけるさらなる液体の動作によって、ガス及び液滴流れが発生される。発生された流れのパラメータは、円錐形ディフューザ（セグメント１１）を形成した円錐頂点角度に依存する。円錐面頂点角度の値が１０゜よりも小さい場合、液体は、円錐形セグメント１の壁部から分離しないか、又は円錐形壁部の一部又は別の部分に周期的に付着しながら部分的に分離する。この過程は、１０〜５０Ｈｚの範囲の周波数で生じる。１０゜よりも大きな角度値では、流れはチャネル壁部から完全に分離し、これらの壁部と僅かに拡開する流れ（拡開角度１〜１．５゜）との間の空間が、（空気に流出する流れにおける）空気渦で満たされる。
【００３１】
円錐形表面頂点角度値が５０゜よりを大きい場合、ノズルの性能は、平らな端面を備えた円筒形チャネルの性能とほとんど同じである。渦のサイズは小さくなるが、渦の成長の周波数は増大する。これらの渦は、発生された流れの表面層のみに影響し、流れの中心は妨害されない。
【００３２】
ノズルを形成する円錐面頂点における最適な角度を選択することによって（本発明によれば１０〜５０゜の範囲で）、空気流によって排出される大規模な渦が生じる。これらの渦は、液体の流れ全体を揺動させ、液体は蒸気及び空気で飽和される。流れがノズルから流出するときに、液体の流れにおける大きな気相配列が崩壊する。
【００３３】
前記現象の結果、蒸気及び空気で飽和された液体流が生ぜしめられ、この液体流が、フレームアーム８ベース、調整ねじ７、ガス及び液体流れディフューザエレメント９に衝突しながら微細な液滴に粉砕される。これによって、液滴の高い運動エネルギを保持しながらガス及び液滴流れにおける液滴のサイズが減じられる。これによって、長い範囲の、微細に分散されたガス及び液滴流れが発生される。これにより、概して、最適化された挿入噴霧３チャネル構成を備えたスプリンクラを適用することによって消火効率を高めることができる。
【００３４】
この結果は、チャネルの円筒形セグメントの長さがこのセグメントの直径よりも１０倍長いことによってのみ得られる。円筒形セグメントの長さがこれよりも短いと、このセグメントの出口において、液体にキャビテーションが生じない。円筒形セグメントの長さを増大させすぎることも望ましくない。なぜならば、この場合、チャネル壁部に対する液体流れの摩擦によるエネルギ損失が増大するからである。水噴霧を行うこのセグメントの長さを２〜１０ｍｍの範囲で選択すると有利である。
【００３５】
実施された試験の結果、上記変更態様に従って実施されたスプリンクラが、１２０μｍの液滴平均サイズを備えた微細に分散されたガス及び液滴流れを発生することが分かった。保護される部屋の面積は２１ｍ２である。同様の条件下の慣用のスプリンクラ構造（例えば、２５６９９Grinell AM-type スプリンクラ）は、３８０μｍの液滴平均サイズのガス及び液滴流れを生ぜしめ、火炎に対して保護される部屋の面積は６ｍ２以下である。
【００３６】
構造が第２の択一的な実施例に対応するスプリンクラは同じ形式で機能する。
【００３７】
スプリンクラチャネル入口に０．４〜１．２ＭＰａの圧力下で水が供給されると、軸方向チャネル１２と螺旋形案内部材を備えた環状チャネル１３との通路横断面比に比例して流れが分岐される。環状チャネル１３を通る水の流れは、軸方向チャネル１２を通る１〜２倍の流れに達すると有利である。多条ねじ、特に四条ねじによって形成された螺旋形の矩形横断面チャネルを通過することによって、液体流は、動作速度の接線成分を得ながら旋回させられる。これにより、液体流は、挿入噴霧３チャネルの出口において中空の回転する円錐体に変化する。この中空の円錐体の壁部の厚さは、挿入噴霧３チャネルの出口区分の背後において膨張と共に減少する。
【００３８】
軸方向チャネル１２を通過することによって、液体は、ガス及び液滴流れに変化された指向性流れの形式で出口から流出する。軸方向チャネル１２の長さは、チャネル壁部に対する無視できる摩擦で、円筒形の流れ形状を提供しなければならない。チャネル１２の最適な長さは、チャネルの直径の１．５〜２倍である。次いで、チャネル１２から流出する液体は、フレームアーム８ベースに固定された調整ねじ７の端部に衝突する。流れは、方向及び構成を劇的に変化させて液体シートに変化し、この液体シートは、チャネル１２の対称軸線から離れる方向でより薄くなる。この過程は、慣用の設計のスプリンクラの場合と同様の形式で生じる。
【００３９】
その結果、本体の直ぐ近くで衝突する２つの高速のシートが形成される。四条ねじの形式の螺旋形案内部材を備えた環状チャネル１３から液体が流出しながら形成される円錐形の回転するシートは、６０〜９０゜の拡散角度を有している。チャネル１２から流出する軸方向の流れが調整ねじ７及びフレームアーム８と衝突することによって生ぜしめられるシートは、約１５０゜の拡散角度を備えたシート状の流れを形成する。
【００４０】
これらの２つの流れが混合することによって、これらの流れに生じる妨害によって、微細に分散された１つのガス及び液滴流れが形成される。形成された流れにおける液滴のサイズは、ほとんど、それぞれの特定の流れにおけるサイズよりも２倍小さい。これは、液体の薄い流れが慣用の軸対称的なシート状の流れの縁部において形成されることと関連する。前記流れにおける液滴の速度は、流れの膨張及び空気媒体に対する摩擦によって流出方向で劇的に減少する。
【００４１】
螺旋形案内部材を備えた環状チャネル１３を通る流出と結合される、形成された共通の流れにおける液滴速度の接線方向成分は、液滴のより均一な流れの形成に寄与する。前記流れは、流れ衝突箇所の近くに配置された障害物（フレームアーム８又は調整ねじ７）によって影響されない。なぜならば、円錐形流れの衝突、これに対応して共通のガス及び液滴流れの形成は、スプリンクラ構造構成部材を越えたところで生じるからである。軸方向チャネル１２及び環状チャネル１３から流出する流れの衝突及び混合時に、微細なガス及び液滴流れが、方位角によって均一な流れ分布を備えて形成される。形成されたガス及び液滴流れにおける液滴のサイズは６０〜４００μｍである。
【００４２】
したがって、上記スプリンクラ設計を適用する場合、液体消費及び圧力を増大させることなく液滴に微細でかつ空間均一な流れを形成することができる。さらに、スプリンクラ本体１（図１参照）にガス及び液滴流れディフューザエレメント９を取り付ける必要はなく、このことは、概して、構造を単純化し、液滴の無駄な運動エネルギ損失を低減する。スプリンクラ構造における前記ディフューザエレメントを使用すると、液滴のサイズが増大し、液滴の初期速度が低減する。
【００４３】
実施された試験の結果、記載された択一的な変更態様に従って実施されたスプリンクラは、１２５μｍの平均液滴サイズを備えた微細なガス及び液滴流れを形成する。保護される部屋の面積は１２ｍ２である。上記実施例に従って設計されたスプリンクラのための水の流量及び供給圧力は、慣用のスプリンクラ（例えばＡＭ  ２５６９９  Grinnel-type スプリンクラ）のための対応するパラメータを超過しない。
【００４４】
前記知識は、別の択一的な実施例変更態様において本発明に従って実施されたスプリンクラによって技術的結果を達成する可能性を保証する。本発明は、高い運動エネルギ及び空間均一な分布の均一でかつ微細なガス及び液滴流れの形成を生じ、このことは、火炎に対して保護される部屋の面積を増大する。
【００４５】
産業上の用途
本発明は、消火設備のために、すなわち、多数の潜在的な火災現場を備えた建物における局所的な消火のための定置のスプリンクラシステムにおいて使用されてよい。これらのシステムは、病院、図書館、博物館、行政施設、デパート、倉庫、ガレージにおいて使用されてよい。本発明よって実施されたスプリンクラは、モニタセンサ及び制御システムを有する自動消火ユニットの一部として使用されてよい。前記構造のスプリンクラは、廃れた構造のスプリンクラの代わりに、標準的な解放可能なコネクタによって、消火システムを操作する主パイプラインに取り付けられてよい。
【００４６】
本発明の択一的な実施例変更態様は、有利な実施例に適用されたものとして説明されているが、当業者にとって明らかなように、スプリンクラ変更態様及びその他の構造的実施例は、請求項に記載の特徴を有する本発明の主題から逸脱することなく使用されてよい。
【図面の簡単な説明】
【図１】  第１の実施例に従って設計されたスプリンクラの概略的な縦断面図である（フレームアーム位置の平面における）。
【図２】  第２の実施例に従って設計されたスプリンクラの概略的な縦断面図である（フレームアーム位置の平面における）。
【図３】  図２に示したスプリンクラを平面Ａ−Ａで見た横断面図である。
【符号の説明】
１  本体、  ２  シールリング、  ３  挿入スプリンクラ、  ４  弁、  ５  シール、  ６  球体、  ７  調整ねじ、  ８  フレームアーム、  ９  ディフューザエレメント、  １０  円筒形のセグメント、  １１  円錐形のセグメント、  １２  円筒形のチャネル、  １３  環状のチャネル
【図１】
0003926627.tif 000002
【図２】
0003926627.tif 000003
【図３】
0003926627.tif 000004